(57)【要約】【課題】  美観を損なうことがなく、かつ、コストを低減することができ、さらには、本体と柄部とを強固に固定することができる、包丁その他の刃物を提供する。【解決手段】  刃物１は、本体２０と柄部３０とを備える。本体２０は、刃体２１と中子２２とを備える。柄部３０は、両側に側壁３１を備えて、それら側壁３１、３１間に、中子２２が収容される収容空間部３２を有する。中子２２は、中子本体２３と、その中子本体２３から突出する突出部２４とを備える。柄部３０は、収容空間部３２に、中子２２の突出部２４と嵌合する被嵌合部３２ａを有する。そこで、中子２２と柄部３０とは、中子２２と収容空間部３２の内面との間に介在する接着剤によって接着固定される。【選択図】  図１
0003218950.tif 000002
【実用新案登録請求の範囲】
【請求項１】
本体と柄部とを備え、
前記本体は、刃体と、その刃体と一体化した中子とを備え、
前記柄部は、両側に側壁を備えて、それら側壁間に、前記中子が収容される収容空間部を有し、
前記中子は、中子本体と、その中子本体から突出する突出部とを備え、
前記柄部は、前記収容空間部に、前記突出部と嵌合する被嵌合部を有し、
前記中子と前記柄部とは、前記中子と前記収容空間部の内面との間に介在する接着剤によって接着固定されている、包丁その他の刃物。
【請求項２】
前記中子には、接着剤が溜まる凹部または孔からなる充填空間が設けられる、請求項１に記載の包丁その他の刃物。
【請求項３】
前記突出部は、前記中子本体の長手方向に延びるように形成される、請求項１または２に記載の包丁その他の刃物。
【請求項４】
前記被嵌合部は、前記柄部の前端に開口しその後端方向に向かって延びるように形成される、請求項３に記載の包丁その他の刃物。
【請求項５】
前記収容空間部は、上方に開口し、前記中子の上端面は、前記柄部の上面と面一となっている、請求項１ないし３のいずれか１項に記載の包丁その他の刃物。
【請求項６】
前記収容空間部は、前記柄部の前端から後端に渡って溝状に形成され、前記被嵌合部は、前記柄部の前端に開口しその後端方向に向かって延びるように形成される、請求項５に記載の包丁その他の刃物。
【請求項７】
前記中子本体は、平板状もしくはほぼ平板状に形成され、前記突出部は、前記中子本体の下部または中間部から膨出するように突出して設けられる、請求項１ないし６のいずれか１項に記載の包丁その他の刃物。
【請求項８】
前記中子本体は、平板状もしくはほぼ平板状に形成され、前記突出部は、前記中子本体の下部から折れ曲がるように突出して設けられる、請求項１ないし６のいずれか１項に記載の包丁その他の刃物。
【請求項９】
前記中子本体は、平板状もしくはほぼ平板状に形成され、前記突出部は、前記中子本体の下部または中間部から分岐するように突出して設けられる、請求項１ないし６のいずれか１項に記載の包丁その他の刃物。
【考案の詳細な説明】
【技術分野】
【０００１】
この考案は、刃物、特に、刃物における中子と柄部との固定に関するものである。
【背景技術】
【０００２】
従来、包丁においては、包丁本体と柄部との固定に、リベットが用いられたものとか（例えば、特許文献１参照）、ビスが用いられたもの（例えば、特許文献２参照）があった。
【先行技術文献】
【特許文献】
【０００３】
【特許文献１】実開平４−１０２９６５号公報
【特許文献２】特開平１０−３２３４５９号公報
【考案の概要】
【考案が解決しようとする課題】
【０００４】
しかし、前記従来の包丁にあっては、包丁本体（本体）と柄部との固定に、リベットとかビスが用いられることから、その頭部や先端が露出し、美観を損なう虞があった。また、そのリベットとかビスが必要であったり、組付け後に表面を平らに研磨したりしなければならず、コストが上がる原因でもあった。
【０００５】
この考案は、上記した従来の欠点を解決するためになされたものであり、その目的とするところは、美観を損なうことがなく、かつ、コストを低減することができ、さらには、本体と柄部とを強固に固定することができる、包丁その他の刃物を提供することにある。
【課題を解決するための手段】
【０００６】
この考案に係る包丁その他の刃物は、前記目的を達成するために、次の構成からなる。すなわち、
請求項１に記載の考案に係る包丁その他の刃物は、本体と柄部とを備える。前記本体は、刃体と、その刃体と一体化した中子とを備える。前記柄部は、両側に側壁を備えて、それら側壁間に、前記中子が収容される収容空間部を有する。ここで、前記中子は、中子本体と、その中子本体から突出する突出部とを備える。そして、前記柄部は、前記収容空間部に、前記突出部と嵌合する被嵌合部を有する。そこで、前記中子と前記柄部とは、前記中子と前記収容空間部の内面との間に介在する接着剤によって接着固定されている。
【０００７】
この包丁その他の刃物によると、中子と柄部とが、接着固定されることから、それらの固定に、リベットとかビスを必要としない。そして、中子には、中子本体から突出する突出部が設けられ、柄部の収容空間部に、突出部と嵌合する被嵌合部が設けられることで、中子と柄部とを接着するにあたって、その接着面積を増やすことができ、中子と柄部とを強固に接着固定することができる。
【０００８】
また、請求項２に記載の考案に係る包丁その他の刃物は、請求項１に記載の包丁その他の刃物において、前記中子には、接着剤が溜まる凹部または孔からなる充填空間が設けられる。この充填空間によって、中子と収容空間部の内面との間に、十分な量の接着剤を介在させることができる。
【０００９】
また、請求項３に記載の考案に係る包丁その他の刃物は、請求項１または２に記載の包丁その他の刃物において、前記突出部は、前記中子本体の長手方向に延びるように形成される。
【００１０】
また、請求項４に記載の考案に係る包丁その他の刃物は、請求項３に記載の包丁その他の刃物において、前記被嵌合部は、前記柄部の前端に開口しその後端方向に向かって延びるように形成される。
【００１１】
また、請求項５に記載の考案に係る包丁その他の刃物は、請求項１ないし３のいずれか１項に記載の包丁その他の刃物において、前記収容空間部は、上方に開口し、前記中子の上端面は、前記柄部の上面と面一となっている。
【００１２】
また、請求項６に記載の考案に係る包丁その他の刃物は、請求項５に記載の包丁その他の刃物において、前記収容空間部は、前記柄部の前端から後端に渡って溝状に形成され、前記被嵌合部は、前記柄部の前端に開口しその後端方向に向かって延びるように形成される。
【００１３】
また、請求項７に記載の考案に係る包丁その他の刃物は、請求項１ないし６のいずれか１項に記載の包丁その他の刃物において、前記中子本体は、平板状もしくはほぼ平板状に形成され、前記突出部は、前記中子本体の下部または中間部から膨出するように突出して設けられる。
【００１４】
また、請求項８に記載の考案に係る包丁その他の刃物は、請求項１ないし６のいずれか１項に記載の包丁その他の刃物において、前記中子本体は、平板状もしくはほぼ平板状に形成され、前記突出部は、前記中子本体の下部から折れ曲がるように突出して設けられる。
【００１５】
また、請求項９に記載の考案に係る包丁その他の刃物は、請求項１ないし６のいずれか１項に記載の包丁その他の刃物において、前記中子本体は、平板状もしくはほぼ平板状に形成され、前記突出部は、前記中子本体の下部または中間部から分岐するように突出して設けられる。
【考案の効果】
【００１６】
この考案に係る包丁その他の刃物によれば、中子と柄部とを接着固定することで、リベットとかビスを必要としないことから、美観を損なうことがなく、かつ、コストを低減することができ、さらには、突出部と被嵌合部との嵌合により接着面積を増やして、中子、ひいては本体と、柄部とを強固に固定することができる。
【図面の簡単な説明】
【００１７】
【図１】この考案の一実施の形態の、刃物の斜視図である。
【図２】同じく、図１におけるＡ−Ａ線による断面図である。
【図３】同じく、本体の斜視図である。
【図４】同じく、柄部の斜視図である。
【図５】この考案の第一の変形例を示す、本体の斜視図である。
【図６】この考案の第二の変形例を示す、図２相当図である。
【図７】この考案の第三の変形例を示す、図２相当図である。
【図８】この考案の第四の変形例を示す、本体の斜視図である。
【図９】この考案の第五の変形例を示す、図２相当図である。
【図１０】この考案の第六の変形例を示す、図２相当図である。
【図１１】この考案の第七の変形例を示す、図２相当図である。
【図１２】同じく、本体の斜視図である。
【図１３】この考案の第八の変形例を示す、刃物の正面図である。
【図１４】同じく、本体の正面図である。
【図１５】同じく、図１４におけるＢ−Ｂ線による断面図である。
【図１６】この考案の第九の変形例を示す、柄部の斜視図である。
【考案を実施するための形態】
【００１８】
以下、この考案に係る包丁その他の刃物を実施するための形態を図面に基づいて説明する。
【００１９】
図１〜図４は、本考案の一実施の形態を示す。図中符号１は、刃物（包丁その他の刃物）を示す。図では、刃物１として、刃体の先端部側を省略した包丁を例にして示している。
【００２０】
この刃物１は、本体２０と柄部３０とを備える。ここで、本体２０は、刃体２１と、その刃体２１と一体化した中子２２とを備える。一方、柄部３０は、両側に側壁３１を備えて、それら側壁３１、３１間に、中子２２が収容される収容空間部３２を有する。
【００２１】
また、中子２２は、中子本体２３と、その中子本体２３から突出する突出部２４とを備える。一方、柄部３０は、収容空間部３２に、中子２２の突出部２４と嵌合する被嵌合部３２ａを有する。そこで、中子２２と柄部３０とは、中子２２と収容空間部３２の内面との間に介在する接着剤によって接着固定される。
【００２２】
また、中子２２には、接着剤が溜まる凹部または孔からなる充填空間２５が設けられる。そこで、この充填空間２５に接着剤が溜まることができるが、接着剤は、充填空間２５以外にも、広く、中子２２と、柄部３０における収容空間部３２の内面との間に介在することができる。
【００２３】
具体的には、本体２０は、例えば、鉄鋼とかステンレス鋼とかの金属からなり、刃体２１と中子２２の他に、それら刃体２１と中子２２との境界部分に口金部２６を備える。そして、本体２０は、各部が、例えば溶接とか鍛造とかにより一体化して形成される。ここで、中子２２においては、中子本体２３が平板状もしくはほぼ平板状に形成されて、柄部３０の長手方向に延びている。そして、突出部２４は、中子本体２３の長手方向に延びるように形成される。詳細には、この突出部２４は、中子本体２３の下部から膨出するように（図示実施の形態においては、中子本体２３の下部から両側に断面円弧状に膨出するように）突出して設けられる。そして、突出部２４は、口金部２６から、中子本体２３の長手方向に延びている。
【００２４】
また、この中子２２に設けられる前記充填空間２５は、孔２５ａからなる。充填空間２５としての孔２５ａは、中子本体２３を貫通するように設けられ、例えば、その中子本体２３の長手方向に延びる長孔となっている。
【００２５】
柄部３０は、例えば、木、プラスチック、積層布板、積層紙板、ガラス繊維板等の素材、あるいはこれらを適宜併用した素材など任意の素材を用いて形成される。この柄部３０には、前記収容空間部３２が、上方に開口するように設けられる。詳細は、この収容空間部３２は、柄部３０の前端から後端に渡って溝状に形成され、収容空間部３２の下部には、孔状の前記被嵌合部３２ａが、柄部３０の前端に開口しその後端方向に向かって延びるように形成される。そして、この収容空間部３２に中子２２が収容されたとき、中子２２の上端面は、柄部３０の上面と面一となる（図１参照）。
【００２６】
次に、以上の構成からなる刃物１の作用効果について説明する。この刃物１によると、中子２２と柄部３０とが、接着固定されることから、それらの固定に、リベットとかビスを必要としない。そして、中子２２には、中子本体２３から突出する突出部２４が設けられ、柄部３０の収容空間部３２に、突出部２４と嵌合する被嵌合部３２ａが設けられることで、中子２２と柄部３０とを接着するにあたって、その接着面積を増やすことができる。このため、中子２２と柄部３０とを強固に接着固定することができる。すなわち、この刃物１によれば、中子２２と柄部３０とを接着固定することで、リベットとかビスを必要としないことから、美観を損なうことがなく、かつ、コストを低減することができ、さらには、突出部２４と被嵌合部３２ａとの嵌合により接着面積を増やして、中子２２、ひいては本体２０と、柄部３０とを強固に固定することができる。
【００２７】
また、中子２２には、接着剤が溜まる充填空間２５が設けられており、この充填空間２５によって、中子２２と収容空間部３２の内面との間に、十分な量の接着剤を介在させることができる。
【００２８】
なお、本考案は、上述した実施の形態に限定されるわけではなく、その他種々の変更が可能である。例えば、中子２２において、突出部２４は、中子本体２３の長手方向に連続して延びていなくても、図５に示すように、中間位置で分離していてもよい。この場合、両突出部２４、２４間は、凹部２５ｂからなって接着剤が溜まる充填空間２５となる。また、突出部２４は、断面円弧状その他の特定の形状に限定されるものではなく、例えば、図６に示すように断面略台形その他の異形形状となっていてもよい。
【００２９】
また、突出部２４は、中子本体２３の下部から膨出するように突出して設けられなくても、図７に示すように、中子本体２３の中間部から膨出するように突出して設けられてもよい。また、突出部２４は、図８に示すように、断面一定でなく、中子本体２３の長手方向に向かって、その膨出量が減少したり増加したりしてもよい。
【００３０】
また、突出部２４は、必ずしも中子本体２３から両側に突出する必要はなく、片側のみに突出してもよく、例えば、図９および図１０に示すように、中子本体２３は、平板状もしくはほぼ平板状に形成され、突出部２４は、中子本体２３の下部から折れ曲がるように突出して設けられてもよい。ここで、図９は、突出部２４が直角に折れ曲がる例を示し、図１０は、突出部２４が鈍角となるよう折れ曲がる例を示す。
【００３１】
また、図１１および図１２に示すように、中子本体２３は、平板状もしくはほぼ平板状に形成され、突出部２４は、中子本体２３の下部から分岐するように両側に突出して設けられてもよい。また、図示を省略するが、突出部２４は、中子本体２３の中間部から分岐するように両側に突出して設けられてもよい。
【００３２】
また、突出部２４は、口金部２６から延びることなく、口金部２６から離れて設けられてもよい。また、突出部２４は、中子本体２３の長手方向に延びるものに限るものではないのは勿論、同一形状、あるいは異なる形状の突出部が、複数、中子本体２３の長手方向とか上下方向に並ぶように、あるいは任意の位置に設けられても構わない。
【００３３】
また、接着剤が充填される充填空間２５は、長孔でなくても、図５とか図１２、あるいは後述する図１３〜図１５に示すように、丸孔等、その他の形状の孔でもよい。
【００３４】
また、充填空間２５は、図１３〜図１５に示すように、中子本体２３の板面から窪むように形成された凹部２５ｃからなったり、中子本体２３の周面（図示実施の形態においては、下端面）から窪むように形成された凹部２５ｄからなってもよい。また、この図１３〜図１５においては、凹部２５ｃに、さらに、孔２５ａ（充填空間２５）が設けられている。
【００３５】
また、本体２０は、口金部２６を備えるが、この口金部２６は無くてもよい（図８参照）。
【００３６】
また、柄部３０において、収容空間部３２は、後方に開口していなくても、図１６に示すように、後方が閉じていてもよい。また、収容空間部３２は、上方に開口することなく閉じていてもよい。
【００３７】
また、柄部３０は、図示実施例では、両側壁３１、３１が下部で繋がることで、一体となっているが、両側壁３１、３１が別体に設けられて、それら側壁３１、３１が、中子２２を介して固定されてもよい。
【００３８】
また、以上に示すように、突出部２４は、中子本体２３の下部とか中間部に設けられ、その突出部２４に対応するように、被嵌合部３２ａは、収容空間部３２の下部とか中間部に形成されるが、突出部２４が、中子本体２３の上部に設けられ、その突出部２４に対応するように、被嵌合部３２ａが、収容空間部３２の上部に形成されてもよい。
【００３９】
また、本考案は、包丁に限られることなく、ナイフ、鎌、鋸、ノミその他の刃物に実施することができる。
【符号の説明】
【００４０】
１  刃物
２０  本体
２１  刃体
２２  中子
２３  中子本体
２４  突出部
２５  充填空間
２５ａ  孔
２５ｂ、２５ｃ、２５ｄ  凹部
３０  柄部
３１  側壁
３２  収容空間部
３２ａ  被嵌合部
【図１】
0003218950.tif 000003
【図２】
0003218950.tif 000004
【図３】
0003218950.tif 000005
【図４】
0003218950.tif 000006
【図５】
0003218950.tif 000007
【図６】
0003218950.tif 000008
【図７】
0003218950.tif 000009
【図８】
0003218950.tif 000010
【図９】
0003218950.tif 000011
【図１０】
0003218950.tif 000012
【図１１】
0003218950.tif 000013
【図１２】
0003218950.tif 000014
【図１３】
0003218950.tif 000015
【図１４】
0003218950.tif 000016
【図１５】
0003218950.tif 000017
【図１６】
0003218950.tif 000018